(57)【特許請求の範囲】
【請求項１】
少なくとも、１又は複数のドアホン子器を接続した住宅情報盤と、ワイヤレス受信機能を有し、この住宅情報盤に信号線を介して接続されたワイヤレス発信器と、表示部を備えたワイヤレス受信器とで構成され、
上記住宅情報盤は、上記ドアホン子器から呼出があったときには、そのドアホン子器を特定したデータ信号を、上記信号線を通じて上記ワイヤレス発信器に送信し、上記ワイヤレス発信器は、上記データ信号を受信すると、その信号の内容のワイヤレス信号を発信し、上記ワイヤレス受信器は、上記ワイヤレス信号を受信すると、その信号の内容に応じた表示を上記表示部に行うようにした無線連絡システムであって、
他のワイヤレス発信器から上記ワイヤレス発信器を介した呼出があったときには、上記ワイヤレス発信器は、呼出をした他のワイヤレス発信器からのワイヤレス信号を受信し、受信したワイヤレス信号を、上記信号線を通じて上記住宅情報盤に送信し、上記住宅情報盤は、そのワイヤレス信号にもとづいて、呼出があった旨のデータ信号を、上記信号線を通じて上記ワイヤレス発信器に送信することを特徴とする無線連絡システム。
【請求項２】
上記住宅情報盤は、火災感知器、防犯センサなどの各種セキュリティセンサを更に接続しており、上記セキュリティセンサの作動を検知したときには、そのセンサを特定したデータ信号を、上記信号線を通じて上記ワイヤレス発信器に送信し、上記ワイヤレス発信器は、上記データ信号を受信すると、その信号の内容のワイヤレス信号を発信し、上記ワイヤレス受信器は、上記ワイヤレス信号を受信すると、その信号の内容に応じた表示を上記表示部に行うことを特徴とする請求項１に記載の無線連絡システム。
【請求項３】
上記住宅情報盤は、１又は複数の呼出釦を更に接続しており、上記呼出釦の操作を検知したときには、その呼出釦を特定したデータ信号を、上記信号線を通じて上記ワイヤレス発信器に送信し、上記ワイヤレス発信器は、上記データ信号を受信すると、その信号の内容のワイヤレス信号を発信し、上記ワイヤレス受信器は、上記ワイヤレス信号を受信すると、その信号の内容に応じた表示を上記表示部に行うことを特徴とする請求項１又は請求項２に記載の無線連絡システム。
【請求項４】
上記住宅情報盤は、通信回線を更に接続しており、上記通信回線を通じて呼出があったときには、その呼出を示すデータ信号を、上記信号線を通じて上記ワイヤレス発信器に送信し、上記ワイヤレス発信器は、上記データ信号を受信すると、その信号の内容のワイヤレス信号を発信し、上記ワイヤレス受信器は、上記ワイヤレス信号を受信すると、その信号の内容に応じた表示を上記表示部に行うことを特徴とする請求項１〜請求項３のいずれかに記載の無線連絡システム。
【請求項５】
上記他のワイヤレス発信器が携帯型ワイヤレス発信器であることを特徴とする、請求項１〜請求項４のいずれかに記載の無線連絡システム。
【発明の詳細な説明】
【０００１】
【発明の属する技術分野】
本発明は、住宅情報盤の入力情報を、ワイヤレス受信器側で識別できる無線連絡システムに関する。
【０００２】
【従来の技術】
従来から、無線連絡システムは、図６に示すような形態で一般住戸にも導入されている。住戸内に設置された住宅情報盤１０１は、玄関先などに設置されたドアホン子器１０２（＃１，＃２）を接続するとともに、火災感知器や防犯センサなどの各種セキュリティセンサＳを接続している。また、住宅情報盤１０１には、接点入力型発信器１０３（＃１，＃２）を接続しており、住宅情報盤１０１から接点入力があると、ワイヤレス信号を発信する。
【０００３】
ここでは、ドアホン子器１０２は、玄関口と勝手口などに２台（＃１，＃２）設けられており、また、接点入力型発信器１０３も、ドアホン移報出力用と警報移報出力用とで２台（＃１，＃２）が接続されている。
住宅情報盤１０１は、いずれかのドアホン子器１０２（＃１，＃２）からの呼出を検出すると、ワイヤレス発信器１０３（＃１）に接点出力を行う。すると、接点入力があった発信器１０３（＃１）が、ワイヤレス信号を発信するので、これをワイヤレス受信器１１０が受信し、（ａ）に示すように、ドアホン子器１０２からの呼出があったことを示すため、発信器１０３（＃１）に割り当てられた番号「１」を表示する。
【０００４】
一方、セキュリティセンサＳの作動を検出すると、住宅情報盤１０１はワイヤレス発信器１０３（＃２）に接点出力を行う。すると、接点入力があった発信器１０３（＃２）がワイヤレス信号を発信するので、これをワイヤレス受信器１１０が受信し、（ｂ）に示すように、セキュリティセンサＳが作動したことを示すため、発信器１０３（＃２）に割り当てられた番号「２」を表示する。
【０００５】
【発明が解決しようとする課題】
ところが、上記従来の無線連絡システムでは、ワイヤレス受信器１１０は、ドアホン子器１０２から呼出があったことや、セキュリティセンサＳが作動したことが判るだけであり、いずれのドアホン子器１０２から呼出があったか等の詳細な状況が判らなかった。
【０００６】
また、住宅情報盤１０１に、更に、コール機能を備えて呼出釦を接続したり、電話機能を備えて電話回線を接続したときには、少なくともこれらの機能を識別するため、接続する接点入力型発信器１０３の数を増加する必要があった。更に、発信器１０３の数を増加すれば、受信器１１０側では、発信器１０３に割り当てられた番号などだけでは、住宅情報盤１０１の動作状況の判断が難しくなっていた。
【０００７】
本発明は、このような事情に鑑みてなされたものであり、ワイヤレス受信器側において、住宅情報盤の詳細な動作状況が判るようにした無線連絡システムを提供することを目的としている。
【０００８】
【課題を解決するための手段】
上記目的を達成するために、本発明の請求項１に記載の無線連絡システムは、少なくとも、１又は複数のドアホン子器を接続した住宅情報盤と、この住宅情報盤に信号線を介して接続されたワイヤレス発信器と、表示部を備えたワイヤレス受信器とで構成され、住宅情報盤は、ドアホン子器から呼出があったときには、そのドアホン子器を特定したデータ信号を、信号線を通じてワイヤレス発信器に送信し、ワイヤレス発信器は、データ信号を受信すると、その信号の内容のワイヤレス信号を発信し、ワイヤレス受信器は、ワイヤレス信号を受信すると、その信号の内容に応じた表示を表示部に行うようにしたシステムであって、さらに次のような特徴を有している。
すなわち、他のワイヤレス発信器から上記ワイヤレス発信器を介する呼出があったときには、ワイヤレス発信器は、呼出をした他のワイヤレス発信器からのワイヤレス信号を受信し、受信したワイヤレス信号を住宅情報盤に対して信号線を通じて送信し、住宅情報盤は、そのワイヤレス信号にもとづいて、呼出があった旨のデータ信号を、信号線を通じてワイヤレス発信器に送信する。
【０００９】
請求項２では、請求項１において、住宅情報盤は、火災感知器、防犯センサなどの各種セキュリティセンサを更に接続しており、セキュリティセンサの作動を検知したときには、そのセンサを特定したデータ信号を、信号線を通じてワイヤレス発信器に送信し、ワイヤレス発信器は、データ信号を受信すると、その信号の内容のワイヤレス信号を発信し、ワイヤレス受信器は、ワイヤレス信号を受信すると、その信号の内容に応じた表示を表示部に行うようになっている。
【００１０】
請求項３では、請求項１又は請求項２において、住宅情報盤は、１又は複数の呼出釦を更に接続しており、呼出釦の操作を検知したときには、その呼出釦を特定したデータ信号を、信号線を通じてワイヤレス発信器に送信し、ワイヤレス発信器は、データ信号を受信すると、その信号の内容のワイヤレス信号を発信し、ワイヤレス受信器は、ワイヤレス信号を受信すると、その信号の内容に応じた表示を表示部に行うようになっている。
【００１１】
請求項４では、請求項１〜請求項３のいずれかにおいて、住宅情報盤は、通信回線を更に接続しており、通信回線を通じて呼出があったときには、その呼出を示すデータ信号を、信号線を通じてワイヤレス発信器に送信し、ワイヤレス発信器は、データ信号を受信すると、その信号の内容のワイヤレス信号を発信し、ワイヤレス受信器は、ワイヤレス信号を受信すると、その信号の内容に応じた表示を表示部に行うようになっている。
【００１２】
請求項５では、請求項１〜請求項４のいずれかにおいて、他のワイヤレス発信器が携帯型のものであることを特徴としている。
【００１３】
【発明の実施の形態】
以下に、本発明の実施の形態について、図面とともに説明する。
図１は、無線連絡システムの構成の一例を示した図である。
この無線連絡システムは、少なくとも、１又は複数のドアホン子器Ｄを接続した住宅情報盤１と、この住宅情報盤１に信号線Ｌを介して接続されたワイヤレス発信器３と、表示部３Ａを備えたワイヤレス受信器３とで構成される。ここでは、ドアホン子器Ｄを２台（＃１，＃２）接続した場合を示している。なお、住宅情報盤１とワイヤレス発信器２は、一体化した構成であってもよい。
【００１４】
また、住宅情報盤１は、火災感知器、防犯センサ、ガス漏れ検知センサなどの各種セキュリティセンサＳ、１又は複数の呼出釦Ｂ（コール釦）、通信回線Ｌａ（例えば電話回線や専用線）を更に接続している。
住宅情報盤１は、ドアホン子器Ｄから呼出があったときには、呼出音を鳴動させるとともに、そのドアホン子器Ｄを特定したデータ信号を、信号線Ｌを通じてワイヤレス発信器２に送信する。ワイヤレス発信器２は、データ信号を受信すると、その信号の内容のワイヤレス信号を発信し、ワイヤレス受信器３は、ワイヤレス信号を受信すると、その信号の内容に応じた表示を表示部３Ａに行う。このときの受信器３の表示は、例えば、図中（ｄ）のようになり、表示部３Ａには「ドアホン１」といったようなドアホン子器Ｄ（＃１，＃２）のいずれから呼出があったかが表示される。その後、住宅情報盤１において、ハンドセットを取り上げる等で応答すれば、ドアホン子器Ｄとの通話が出来る（インターホン機能）。
【００１５】
住宅情報盤１は、セキュリティセンサＳの作動を検知したときには、警報音の出力などを行う（アラーム機能）とともに、そのセンサＳを特定したデータ信号を、信号線Ｌを通じてワイヤレス発信器２に送信する。ワイヤレス発信器２は、データ信号を受信すると、その信号の内容のワイヤレス信号を発信し、ワイヤレス受信器３は、ワイヤレス信号を受信すると、その信号の内容に応じた表示を表示部３Ａに行う。このときの受信器３の表示は、例えば、図中（ｃ）のようになり、表示部３Ａには「火災」といったような火災感知器が作動したことが表示される。
【００１６】
住宅情報盤１は、呼出釦Ｂの操作を検知したときには、呼出音を出力する（コール機能）とともに、その呼出釦Ｂを特定したデータ信号を、信号線Ｌを通じてワイヤレス発信器２に送信する。ワイヤレス発信器２は、データ信号を受信すると、その信号の内容のワイヤレス信号を発信し、ワイヤレス受信器３は、ワイヤレス信号を受信すると、その信号の内容に応じた表示を表示部３Ａに行う。このときの受信器３の表示は、例えば、図中（ｂ）のようになり、表示部３Ａには「コール１」というような、番号「１」が付された呼出釦Ｂにおいて操作されたことが表示される。
【００１７】
住宅情報盤１は、通信回線Ｌａを通じて呼出があったときには、呼出音を出力するとともに、その呼出を示すデータ信号を、信号線Ｌを通じてワイヤレス発信器２に送信する。ワイヤレス発信器２は、データ信号を受信すると、その信号の内容のワイヤレス信号を発信し、ワイヤレス受信器３は、ワイヤレス信号を受信すると、その信号の内容に応じた表示を表示部３Ａに行う。このときの受信器３の表示は、例えば、図中（ａ）のようになり、表示部３Ａには「ＴＥＬ」というように、電話がかかってきたことが表示される。その後、住宅情報盤１において、ハンドセットを取り上げる等で応答すれば、呼出元と通信回線Ｌａを介した通話が開始できる（電話機能）。
【００１８】
このように、本発明の無線連絡システムでは、ワイヤレス受信器３は、ドアホン子器Ｄから呼出があったことや、センサＳが作動したことが判別できる以外に、いずれのドアホン子器Ｄから呼出があったか等の詳細な状況が判る。また、住宅情報盤１の接続機器などが増加した場合でも、ワイヤレス発信器２は１台のままでよく、システム構成が煩雑にならない。
【００１９】
また、ワイヤレス受信器３が携帯型であれば、発信器２からの信号が届く範囲であれば、自由な場所で、住宅情報盤１の動作状況を知ることができる。更に、ワイヤレス受信器３に振動機能が備わっていれば、振動の強弱などによって、住宅情報盤１の動作状況を通知することもできる。この振動による通知は、耳の不自由な人などにとっては特に便利である。
【００２０】
次に、住宅情報盤１、ワイヤレス発信器２、ワイヤレス受信器３の各々の内部構成について説明する。図２は、住宅情報盤１の内部構成の一例を示すブロック図である。ここでは、住宅情報盤１は、ドアホン子器Ｄとのインターホン通話が可能である副親機を更に接続できるタイプのものを示している。
ＣＰＵ等で構成される制御回路１０は、ドアホン子器Ｄとの間でインターホン通話をするときには、映像・音声多重化回路１３によって、ドアホン子器Ｄから送信されて来る映像信号と音声信号の多重化信号を受信する。受信した映像信号は、映像信号出力回路１８によって液晶モニタ１９に映し出される。
【００２１】
一方、受信した音声信号は、ＦＭ変復調回路１４によって復調され、双方向通話のための２−４線変換回路１５を通過し、双方向アンプ１６で増幅され、ボイススイッチ回路１７を通過して、スピーカＳＰ１から出力される。なお、ボイススイッチ回路１７は、同時通話性を保持しながら、いずれか一方向からの信号を通過させるようなものである。
【００２２】
住宅情報盤１のマイクＭＩ１から入力された音声は、ボイススイッチ回路１７、双方向アンプ１６、２−４線変換回路１５を通過し、ＦＭ変復調回路１４によって変調されて、映像・音声多重化回路１３から音声信号のみがドアホン子器Ｄに送出される。また、副親機との間で映像信号や音声信号を伝送する場合は、伝送回路１Ａによって制御がなされる。
【００２３】
住宅情報盤１は、図１とともに述べたように、ドアホン子器Ｄ以外にも、入力検出回路１１を介して、各種セキュリティセンサＳや呼出釦Ｂ（コール釦）を接続し、また、通信回線Ｌａを接続する。更に、出力回路１２により、信号出力の対象となる機器を接続しており、本発明では、出力回路１２の伝送回路１２ａにより、信号線Ｌを介してデータ伝送をするワイヤレス発信器２を接続している。なお、この住宅情報盤１では、従来のように、出力回路１２の接点出力部１２ｂにより、接点入力型発信器を接続することもできる（図６参照）。
【００２４】
制御回路１０は、ドアホン子器Ｄからの呼出を検出したり、入力検出回路１１でセンサＳの動作などを検出すると、これらを識別した信号を、伝送回路１２ａを介してワイヤレス発信器２側に伝送する。
図３は、ワイヤレス発信器２とワイヤレス受信器３の内部構成の一例を示すブロック図である。ワイヤレス発信器２は、住宅情報盤１と信号線Ｌを通じてデータ伝送するための伝送部２１と、住宅情報盤１から受信した信号を基にして作成したワイヤレス信号の送信を制御する送信制御部２２と、アンテナＡ２からワイヤレス信号を送信（発信）するための送信部２３とを備える。
【００２５】
ワイヤレス受信器３は、受信部３１がアンテナＡ３を通じてワイヤレス信号を受信すると、受信処理部３２によって、その信号が解析され、その内容に応じて、呼出音の出力、信号内容の表示、振動の発生などがなされる。呼出音は、呼出音発生部３３において発生した音を、アンプ３４によって増幅してスピーカＳＰ３から出力する。解析された信号内容は、文字メッセージなどで、液晶表示部３５によって液晶画面３Ａに表示される。振動は、振動発生部３６によって発生し、モータを駆動させることで生じる。
【００２６】
次に、無線連絡システムの基本動作について、図４と図５とともに説明する。図４はドアホン子器Ｄから呼出があった場合である。例えば、「ドアホン１」から呼出があると（１００）、住宅情報盤１では呼出音を鳴動させるとともに（１０１）、呼出があった旨を、ワイヤレス発信器２にデータ伝送により連絡する（１０２）。すると、ワイヤレス発信器２が信号を発信するので（１０３）、これを受信したワイヤレス受信器３では、呼出音の鳴動などの着信動作とともに、液晶画面３Ａに「ドアホン１」といった表示を行う（１０４）。
【００２７】
一方、図５は火災感知器（Ｓ）が発報した場合である。住宅情報盤１では、接続した火災感知器が発報すると（２００）、警報音を鳴動させるとともに（２０１）、火災発報があった旨を、ワイヤレス発信器２にデータ伝送により連絡する（２０２）。すると、ワイヤレス発信器２が信号を発信するので（２０３）、これを受信したワイヤレス受信器３では、呼出音の鳴動などの着信動作とともに、液晶画面３Ａに「火災」といった表示を行う（２０４）。
【００２８】
次に、無線連絡システムの別の構成について説明する。その構成では、ワイヤレス発信器２は、ワイヤレス信号の発信機能の他に、ワイヤレス信号の受信機能を備える。すなわち、図３に示したワイヤレス発信器２の構成において、送信部２３に受信機能を備え、送信制御部２２に受信制御機能を備え、伝送部２１には、信号線Ｌを通じた住宅情報盤１へのデータ伝送機能を備える。
【００２９】
ワイヤレス発信器２は、他のワイヤレス発信器から発信されたワイヤレス信号を受信したときには、その信号の内容のデータ信号を、信号線Ｌを通じて住宅情報盤１に送信する。これによって、住宅情報盤１に携帯型ワイヤレス発信器からの呼出機能（コール機能）を備えることができる。この場合も、住宅情報盤１は、ワイヤレス発信器２を介して呼出があると、ワイヤレス発信器２に対して折り返し、呼出があった旨のデータ信号を送信し、ワイヤレス信号を発信させることが出来る。
【００３０】
【発明の効果】
以上の説明からも理解できるように、本発明の請求項１〜５に記載の無線連絡システムでは、住宅情報盤は、ドアホン子器から呼出があったとき、請求項２では、更にセキュリティセンサの作動を検知したとき、請求項３では、更に呼出釦の操作を検知したとき、請求項４では、更に通信回線を通じて呼出があったときは、これらを識別する信号を、ワイヤレス発信器に発信させることができる。この信号を受信したワイヤレス受信器では、その信号の内容に応じた表示を行うので、住宅情報盤の詳細な状況が判る。また、本発明システムでは、住宅情報盤の接続機器などが増加した場合でも、ワイヤレス発信器は１台のままで増設する必要がないため、システム構成が煩雑にならない。
【００３１】
また、請求項１〜５では、ワイヤレス発信器はワイヤレス信号の受信機能を備えているので、住宅情報盤に、更に、他のワイヤレス発信器からのワイヤレス呼出機能などを追加できる。
【図面の簡単な説明】
【図１】本発明の無線連絡システムの構成の一例を示す図である。
【図２】住宅情報盤の内部構成の一例を示すブロック図である。
【図３】ワイヤレス発信器及びワイヤレス受信器の内部構成の一例を示すブロック図である。
【図４】本発明の無線連絡システムの動作の一例を示す図である。
【図５】本発明の無線連絡システムの動作の他の例を示す図である。
【図６】従来の無線連絡システムの構成の一例を示す図である。
【符号の説明】
１    住宅情報盤
２    ワイヤレス発信器
３    ワイヤレス受信器
３Ａ  表示部
Ｄ    ドアホン子器
Ｓ    セキュリティセンサ
Ｂ    呼出釦
Ｌａ  電話回線
Ｌ    信号線
【図１】
0003584336.tif 000002
【図２】
0003584336.tif 000003
【図３】
0003584336.tif 000004
【図４】
0003584336.tif 000005
【図５】
0003584336.tif 000006
【図６】
0003584336.tif 000007